(57)【要約】  炭酸飲料用の飲料容器は、本体及び基部を含み得る。基部は、本体及びドームから延在するスカートを有し得る。リブは、スカートとドームとの間に延在する。基部はまた、複数の足部を含み得る。各足部は、隣接するリブの各対間に形成され得る。足部は、スカートからドームまで延在し得る。各足部は、座部及び２つの側壁を有し得る。各リブの移行点は、スカートとドームとの間にあり得る。各移行点で形成される接線は、ゼロの勾配を有し得る。各足部座部と各足部側壁との間の移行部は、滑らかであり得る。
2021531217.tif 000002
【特許請求の範囲】
【請求項１】
飲料容器であって、
本体と、
基部と、を含み、前記基部は、
前記本体から延在するスカートと、
ドームと、
前記スカート及び前記ドームから延在するリブと、
足部であって、各足部は、一対の隣接するリブ間に形成され、前記スカートから前記ドームまで延在し、各足部は、座部及び２つの側壁を有する、足部と、を含み、
各リブは、前記スカートと前記ドームとの間の移行点を有し、
各移行点で形成された接線は、ゼロの勾配を有し、
各足部の座部−側壁移行部は、滑らかである、飲料容器。
【請求項２】
水平線と、前記ドームの滑らかな領域によって画定されたドーム境界に形成された接線との間のドーム角度が、３０度よりも大きい、請求項１に記載の飲料容器。
【請求項３】
各リブは、前記足部の前記座部によって画定された水平面から測定されたリブ高さを有し、前記ドームは、前記足部の前記座部によって画定された前記水平面から測定されたドーム高さを有し、前記ドーム高さは、前記リブ高さの４倍よりも大きい、請求項１に記載の飲料容器。
【請求項４】
前記基部は、水平外側スカート半径を有し、前記ドームは、ドーム高さを有し、前記ドーム高さは、前記水平外側スカート半径の０．３倍よりも大きい、請求項１に記載の飲料容器。
【請求項５】
前記足部の前記座部によって画定された水平面内の前記ドームの頂点の下の点から足部の前記座部の前記座部−側壁移行部まで延在する２つの線間の角度が、座部径方向幅を画定し、
各足部は、２０度未満の座部径方向幅を有する、を更に含む、請求項１に記載の飲料容器。
【請求項６】
各足部は、１７度未満の座部径方向幅を有する、請求項５に記載の飲料容器。
【請求項７】
足部の数は、８である、請求項１に記載の飲料容器。
【請求項８】
各足部の前記滑らかな座部−側壁移行部は、１ｍｍよりも大きいフィレット半径を有する、請求項１に記載の飲料容器。
【請求項９】
前記基部は、水平外側スカート半径を有し、各リブは、前記水平外側スカート半径１／９未満の、前記足部の前記座部によって画定された水平面から測定されたリブ高さを有する、請求項１に記載の飲料容器。
【請求項１０】
各リブは、１ｍｍ〜６ｍｍの、前記足部の前記座部によって画定された水平面から測定されたリブ高さを有する、請求項１に記載の飲料容器。
【請求項１１】
２つの隣接する座部間の任意の点で２つの隣接する座部を接続する平面内に形成された接線の前記勾配は、１．３未満の勾配を有する、請求項１に記載の飲料容器。
【請求項１２】
飲料容器用の基部であって、
垂直軸を有するドームと、
前記ドームからスカートまで延在するリブと、
足部であって、各足部は、一対の隣接するリブ間に形成され、前記スカートから前記ドームまで延在し、各足部は、座部及び２つの側壁を有する、足部と、を含み、
側壁−リブ移行部が滑らかであり、
座部−側壁移行部が滑らかであり、
前記足部及び前記リブのいずれも、滑らかな領域によって画定されたドーム境界を越えて延在しない、基部。
【請求項１３】
各側壁は、水平線と、側壁変曲点で形成された接線とによって画定された側壁角度を有し、前記側壁角度は、３０度〜６０度である、請求項１２に記載の基部。
【請求項１４】
前記側壁は、水平線と、側壁変曲点で形成された接線とによって画定された側壁角度を有し、前記側壁角度は、４０〜５２度である、請求項１２に記載の基部。
【請求項１５】
各リブは、前記スカートと前記ドームとの間の移行点を有し、
水平表面と、前記移行点と前記リブが前記ドーム境界に接する前記ドーム境界との間に延在する線との間の角度が、リブ角度を画定し、
前記リブの各々は、４０度〜５０度のリブ角度を有する、を更に含む、請求項１２に記載の基部。
【請求項１６】
水平面から測定されたドーム高さを更に含み、
前記ドームの前記滑らかな領域は、ドーム半径を画定し、
前記ドーム高さは、前記ドーム半径の０．３〜０．７倍である、請求項１２に記載の基部。
【請求項１７】
各リブは、１ｍｍ〜６ｍｍの水平面から測定されたリブ高さを有する、請求項１２に記載の基部。
【請求項１８】
前記足部の前記座部によって画定された水平面内の前記ドームの頂点の下の点から足部の前記座部の前記座部−側壁移行部まで延在する２つの線間の角度が、座部径方向幅を画定し、
各足部は、１２度未満の座部径方向幅を有する、を更に含む、請求項１２に記載の基部。
【請求項１９】
足部は、５ｍｍ未満の座部径方向幅を有する、請求項１２に記載の基部。
【請求項２０】
各足部は、前記足部の内部の点において足部角度を有し、前記足部角度は、前記点における接線と水平面との間に画定され、
前記足部角度は、５０度よりも大きい、請求項１２に記載の基部。
【請求項２１】
飲料容器であって、
本体と、
基部と、を含み、前記基部は、
前記本体から延在するスカートと、
垂直軸を中心とするドームと、
前記スカート及び前記ドームから延在するリブと、
足部であって、各足部は、一対の隣接するリブ間に形成され、前記スカートから前記ドームまで延在し、各足部は、座部及び２つの側壁を有する、足部と、を含み、
各リブは、前記スカートと前記ドームとの間の移行点を有し、
各移行点で形成された接線は、ゼロの勾配を有し、
前記飲料容器が加圧されると、前記足部が前記垂直軸から離れて広がる、飲料容器。
【発明の詳細な説明】
【技術分野】
【０００１】
記載される実施形態は、概して、ボトルの基部に関する。より具体的には、記載される実施形態は、概して、炭酸ソフトドリンク飲料ボトルの基部に関する。
【発明の概要】
【０００２】
いくつかの実施形態では、飲料容器は、本体及び基部を含む。基部は、本体からドームまで延在するスカートを含み得る。リブが、ドームとスカートとを接続する。足部が、一対の隣接するリブ間に形成され得、またスカートからドームまで延在し得る。各足部は、座部及び２つの側壁を有し得る。各リブは、スカートとドームとの間の移行点を有し得、移行点で形成された接線はゼロの勾配を有する。いくつかの実施形態では、各足部の座部−側壁移行部は滑らかである。
【０００３】
ドームはドーム角度を含み得る。ドーム角度は、３０度よりも大きくてもよい。各リブは、足部の座部によって画定された水平面から測定されるリブ高さを有し得る。ドームはまた、足部の座部によって画定された水平面から測定されるドーム高さを有し得る。いくつかの実施形態では、ドーム高さは、リブ高さの４倍よりも大きい。いくつかの実施形態では、リブ高さは、２ｍｍ〜４ｍｍであり得る。例えば、リブ高さは３．７ｍｍであり得る。いくつかの実施形態では、リブ高さは、水平外側スカート半径のほんの一部として決定され得る。例えば、リブ高さは、水平外側スカート半径の１／２、１／３、又は１／９であり得る。
【０００４】
基部はまた、水平外側スカート半径を有し得る。いくつかの実施形態では、ドーム高さは、水平外側スカート半径の１．３倍よりも大きい。各足部はまた、座部径方向幅を有し得る。座部径方向幅は、１１度未満であり得る。いくつかの実施形態では、座部径方向幅は、６度未満であり得る。いくつかの実施形態では、足部の数は８であり得る。各足部の滑らかな座部−側壁移行部は、１ｍｍよりも大きいフィレット半径を有し得る。追加的に、いくつかの実施形態では、２つの隣接する座部間の任意の点で２つの隣接する座部を接続する平面内に形成された接線の勾配は、１．３未満の勾配を有し得る。
【０００５】
いくつかの実施形態では、飲料容器の基部は、垂直軸を有するドームを有する。基部はまた、ドームから基部のスカートまで延在するリブを有し得る。基部はまた、足部を含み得る。各足部は、一対の隣接するリブ間に形成され得、スカートからドームまで延在し得る。各足部は、座部及び２つの側壁を有し得る。側壁−リブ移行部及び座部−側壁移行部は滑らかであり得る。足部及びリブのいずれも、滑らかな領域によって画定されるドーム境界を越えて延在することができない。
【０００６】
各側壁は、水平線と側壁変曲点で形成された接線とによって画定された側壁角度を有し得る。側壁角度は、３０度〜６０度であり得る。いくつかの実施形態では、側壁角度は、４０〜５２度であり得る。各リブはまた、リブ角度を有し得る。リブ角度は、リブの移行点とドーム境界との間の角度として画定され得る。リブ角度は、４０〜５０度であり得る。
【０００７】
飲料容器の基部のいくつかの実施形態では、基部は、スカート及びスカートから延在する足部を含み得る。各足部は、座部及び座部から延在する２つの側壁を有し得る。リブが、隣接する側壁を接続し得る。各リブは変曲点を有し得る。足部及びリブから延在するドームが、滑らかな領域を有し得る。
【０００８】
いくつかの実施形態では、足部及びリブは、ドームの滑らかな領域内に延在しない。滑らかな領域は、ドーム半径を画定し得る。ドームはまた、ドーム高さを有し得る。いくつかの実施形態では、ドーム高さは、ドーム半径の１．３〜１．７倍である。各リブは、足部の座部によって画定された水平面から測定されるリブ高さを有し得る。いくつかの実施形態では、リブ高さは２ｍｍ〜４ｍｍであり得る。各足部はまた、座部径方向幅を有し得る。いくつかの実施形態では、座部径方向幅は、６度未満であり得る。いくつかの実施形態では、各足部は、足部角度を有し得る。足部角度は、足部の内部に形成された接線と水平面とによって画定され得る。いくつかの実施形態では、足部角度は、５０度よりも大きくてもよい。
【０００９】
いくつかの実施形態では、飲料容器は、本体及び基部を有する。基部は、本体から延在するスカートを含む。スカートから延在するリブは、スカートをドームに接続する。ドームは、垂直軸を中心とし得る。足部が、基部上に形成され得る。いくつかの実施形態では、各足部は、一対の隣接するリブ間に形成される。各足部は、スカートからドームまで延在し得る。各足部は、座部及び２つの側壁を有し得る。各リブは、スカートとドームとの間に移行点を有し得、移行点で形成された接線はゼロの勾配を有する。いくつかの実施形態では、飲料容器が加圧されると、足部は垂直軸から離れて広がる。
【図面の簡単な説明】
【００１０】
添付の図面は、本明細書に組み込まれ、明細書の一部を形成するが、本開示の実施形態を、限定としてではなく、例として示す。本明細書と合わせて、添付の図面は、更に、本開示の原理を説明するのに役立ち、関連する分野の当業者が、本開示を構成し、使用することを可能にする。
【００１１】
【図１】いくつかの実施形態による基部を有する飲料容器の底部斜視図である。
【００１２】
【図２】図１の飲料容器の底部の内部上面図である。
【００１３】
【図３】図２の基部の底面図である。
【００１４】
【図４】図２の基部の正面図である。
【００１５】
【図５】図２の基部の底部斜視図である。
【００１６】
【図６】図２の線６−６’に沿った、図２の基部の断面図である。
【００１７】
【図７】図２の線７−７’に沿った、図２の基部の断面図である。
【発明を実施するための形態】
【００１８】
添付の図面に示されるように実施形態を参照しつつ、本発明をここで詳細に記載する。「一実施形態（one embodiment）」、「一実施形態（an embodiment）」、「一例示の実施形態」、「いくつかの実施形態」などの言及は、記載される実施形態が、特定の特徴物、構造、又は特徴を含み得るが、記載される全ての実施形態が、その特定の特徴物、構造、又は特徴を必ずしも含むわけではないことを示す。同様に、他の実施形態は、更なる特徴物、構造又は特徴を含んでもよい。更に、このような句は、必ずしも同じ実施形態を言及するものではない。更に、特定の特徴物、構造又は特徴が、実施形態と組み合わせて記載されるとき、明示的に記載されているか否かにかかわらず、他の実施形態と組み合わせてこのような特徴物、構造又は特徴を実施することは、当業者の知識の範囲内であると考えられる。
【００１９】
「発明」、「本発明」、「開示」、又は「本開示」という用語は、本明細書で使用される場合、非限定的な用語であり、特定の発明の任意の単一の実施形態を指すのではなく、本出願に記載される全ての可能な実施形態を包含することを意図するものである。
【００２０】
プラスチック飲料容器は、炭酸飲料を含む様々な飲料を包含し得る。炭酸飲料としては、例えば、ソーダ、ビール、又は炭酸水が挙げられ得る。炭酸化のレベルは、飲料に応じて変化し得る。例えば、一部のソーダは、４．２気圧に炭酸化され得る。また、例えば、炭酸水は、２．７〜３．１気圧に炭酸され得る。
【００２１】
プラスチック飲料ボトルは、多種多様な基部を有し得る。各基部は、飲料容器内に包含された炭酸飲料によって加えられる圧力に耐えるように設計される。飲料容器の保持及び支持機能に加えて、顧客は、飲料容器の基部を飲料の種類と関連付け得る。例えば、顧客は、花弁状の基部を、ソーダなどの炭酸ソフトドリンクと関連付け得る。又は、例えば、顧客は、シャンパン用ボトル基部を上等な飲料と関連付け得る。
【００２２】
プラスチック飲料容器のシャンパン用基部は、古典的なガラスのシャンパン用ボトル基部の見た目を連想させる。これらの構造は、一部のガラスのボトルに見出され、洗練されたかつ時を超越した見た目を有する。古典的なシャンパン用ボトル基部は、基部に形成されたドーム構造、すなわちパントを有し、ドームの頂点は、飲料を包含するエリア内に隆起している。支承域が、ドームを飲料容器の側壁に接続する。飲料容器は、水平表面上に直立したときに、支承域上に静置され得る。
【００２３】
シャンパン用基部のドームは、概して、ドームの連続して傾斜する性質のために、飲料容器内に包含された炭酸飲料の内部圧力によく適している。これにより、包含された炭酸飲料によってドーム及び支承領域に加えられる圧力が均一に分布される。しかしながら、支承領域は、ドームが飲料容器から突出しない、反転する、又は中心軸からずれないように、ドームからの圧力を十分に支持しなければならない。ガラスのボトルが使用されると、ガラスの強度だけでドームを支持することができる。ガラスの飲料容器では、シャンパン用基部の特定又は複雑な幾何学的形状が不要であり得る。
【００２４】
ガラスの飲料容器とは対照的に、プラスチックの容器はより軽量で、より薄い。飲料容器が飲料容器内の炭酸飲料からの圧力に供されるときに、支承域における比較的薄い材料は、支承域の非対称な変形を引き起こし得る。支承域のかかる変形は、支承域の非対称な膨潤を引き起こし、飲料ボトル基部の不安定さを増加させ得る。飲料ボトル基部のこの不安定さは、表面上に配置されたときに容器が支承域上に静置されるため、飲料ボトルが非対称の傾き又は転倒の影響をより受けやすくなることがある。一部の条件下で、支承域が変形するにつれて、ドームも変形し始める。例えば、支承域の一部分が膨張又は突出すると、ドームのエリアが突出部に向かって移動し、ドームが中心軸からはずれる場合がある。この変形により、ドームの表面上の力の分布が、その対称性を失うことがある。結果として生じるドームに対する力の非対称性は、ドームを反転させ得る。
【００２５】
支承域の変形のリスクは、いくつかの方式で低減され得る。第１に、より多くの材料を飲料容器の基部に追加して、支承域の厚さ及び強度を増加させ得る。しかしながら、支承域への材料の追加は、容器の重量及び材料コストを不必要に増加させる。プラスチック飲料容器の底部に厚いプラスチックを使用することは、ボトルに重量及び材料を追加するため、望ましくない場合がある。余分な重量及び材料は、輸送及び製造コストを増加させる。第２に、シャンパン用基部の幾何学的形状及び構造は、厚さの実質的な増加を伴わずにドーム及び支承域上の荷重を支持するように変更され得る。
【００２６】
本発明の実施形態は、基部の構造的な幾何学的形状によって支持される基部を提供する。これらの構造は、飲料容器のシャンパン用基部の構造的一体性に寄与する。具体的には、実施形態は、ドームの構造的安定性を増加させ、プラスチック飲料容器の基部の変形を防ぐことに関する。いくつかの実施形態では、ドームは、リブによって支持され得る。加圧された飲料によってドームに加えられる圧力は、基部上に形成されたリブに伝達され得る。リブは、ドームから飲料容器の側壁まで延在し得る。飲料を包含するエリア内に延在するドームとは異なり、リブは、飲料を包含するエリアから離れて延在し得る。すなわち、それらは、断面で見ると、ドームとは反対の凹部（例えば凹状対凸状）を有し得る。基部へのリブの追加は、ドーム上の荷重力に抵抗する力プロファイルを変更する。リブの構造は、応力集中点を最小限にするために、応力を基部上により均一に分布させ得る。実施形態は、プラスチック飲料容器の基部内により少ない材料で、より高い荷重を可能にする、プラスチック飲料容器の基部を提供する。
【００２７】
リブに加えて、飲料容器は足部を含み得る。足部は、飲料容器の基部の支承域の変形を抑制するのに役立つ。足部はまた、ドームを支持し、非対称ドーム荷重を抑制する。足部は、各リブ間に形成され得る。足部は、飲料容器が水平表面上に配置されたときに飲料容器が静置される座部を有し得る。足部及びリブは、支承域から飲料容器の基部まで延在し得る。足部及びリブはまた、支承域の変形を抑制するために支承域を安定化させるのに役立ち得る。追加的に、足部は、飲料容器がテーブルなどの表面上に配置されたときに飲料容器を安定化させるのに役立つ。
【００２８】
これらの及び他の実施形態を図面を参照しながら以下で考察する。
【００２９】
飲料容器１０は、飲料容器側壁５０及び基部１００を有する本体３０を有し得る。飲料容器１０の基部１００は、飲料容器側壁５０から延在し得る。図１は、飲料容器側壁５０を有する本体３０を有する飲料容器１０を示す。基部１００はまた、垂直軸２００を有する。垂直軸２００は、飲料容器１０及び基部１００の対称軸を画定し得る。すなわち、飲料容器１０又は基部１００は、垂直軸２００を含む垂直面にわたって対称であり得る。基部１００のスカート１１０は、飲料容器側壁から垂直軸２００に向かって延在し得る。
【００３０】
図２に示されるように、基部１００は、ドーム１２０と、ドーム１２０とスカート１１０との間に延在する支承域１１５とを含み得る。図２を明確にするために、支承域１１５は、境界線によって表される。支承域１１５は、基部１００の垂直軸２００を中心に回転したときにこの線によって画定されるエリアであることを理解されたい。ドーム１２０は、ドーム境界１２２によって境界付けられた滑らかな領域１２４を有し得る。ドーム境界１２２は、物理的な境界線でなくてもよいが、代わりに滑らかな領域１２４が始まる線によって画定され得る。滑らかな領域１２４は、基部１００の妨害特徴がこの領域内に延在しないため、滑らかであり得る。しかしながら、滑らかな領域１２４は、質感の意味において必ずしも滑らかでなくてもよい。例えば、それは、頂点１２６における小突起などの圧縮されたプラスチック片など、表面テクスチャ又はブロー成形特徴などの飲料容器１０の製造プロセスに関する部分を有し得る。頂点１２６は、滑らかな領域１２４内にあり得、垂直軸２００と位置合わせされ得る。頂点１２６は、基部１００が水平表面上に配置されたときにドーム１２０の最も高い点であり得る。
【００３１】
飲料容器１０内の内部圧力からの（例えば、内部に密閉された炭酸飲料からの）ドーム１２０上への力は、基部１００の他の部分に分布され得る。例えば、支承域１１５がドーム１２０を支持し得る。図２〜図５に示されるように、支承域１１５は、ドーム１２０からスカート１１０まで延在するリブ１３０を含み得る。各リブ１３０は、スカート１１０からドーム１２０へと移行する際に概ね放物線状の形状に従うことができ、各リブ１３０は移行点１３２を有し得る。移行点１３２は、基部１００が水平面上にあるときに、そのリブ１３０の中心線１３４に沿った最も低い点であり得る。いくつかの実施形態では、移行点１３２における接線はまた、ゼロ勾配を有し得る。すなわち、垂直軸２００を通る移行点１３２における接線は、水平表面２０２に平行であり得る。
【００３２】
図３及び図４に示されるように、足部１５０が隣接するリブ１３０間に形成され得る。各足部１５０は、座部１５２を有し得る。座部１５２は、基部１００の最も低い部分である。基部１００の座部１５２は、飲料容器１０が表面（例えば、水平表面２０２）上にあるときに飲料容器１０が静置される飲料容器１０の部分である。水平表面２０２は、座部１５２によって画定された水平面であり得る。座部１５２は、座部幅１５６を有し得る。座部幅１５６は、３ｍｍ、５ｍｍ、８ｍｍ、１１ｍｍなどの数値測定であっても、又は図３に示されるような角度測定であってもよい。図３は、（図６に示される）水平表面２０２上の頂点１２６の下の点から座部１５２の座部−側壁移行部１６２まで延在する２つの線の間の角度を示す。この角度は、座部径方向幅１５６を画定し得る。いくつかの実施形態では、座部幅１５６は、１０°〜２０°、例えば、５°、８°、又は１７°である。座部幅１５６の外側範囲は、座部１５２が（例えば、隣接するリブ１３０に向かって）上方に移行し始める点として画定され得る。いくつかの実施形態では、足部１５０の数は、座部幅１５６によって部分的に画定され得る。例えば、座部幅１５６の増加は、足部１５０の数を減少させることを意味し得る。いくつかの実施形態では、基部１００は、４〜１０本の足部１５０を有する。
【００３３】
図４は、基部１００の正面図を示す。図４は、基部１００の異なる部分を特定する。例えば、図４は、側部側壁１５４の部分を示す。いくつかの実施形態では、足部側壁１５４は、下部分１５８及び上部分１６０を有する。下部分１５８と上部分１６０との間の変曲点１６６は、足部側壁１５４の湾曲が方向を変える点である。図４はまた、座部−側壁移行部１６２及び側壁−リブ移行部１６４も示す。座部−側壁移行部１６２は、滑らかであり得る。同様に、側壁−リブ移行部も滑らかであり得る。滑らかな移行部は、鋭角を有さず（例えば、少なくとも２ｍｍの半径を維持し）、連続的に区別可能である曲線として画定され得る。足部側壁１５４はまた、支承域１１５の変形を抑制及び制御するのに役立つ。いくつかの実施形態では、足部側壁１５４は、ドーム１２０上の圧力が増加すると変形し得る。具体的には、足部側壁１５４の部分は、座部幅１５６が増加するように、座部幅１５６と共線的になり得る。
【００３４】
図６は、図２の線６−６’に沿った、基部１００の断面を示す。図６の左側は、リブ１３０を通る断面であり、図６の右側は足部１５０を通る断面である。図６は、いくつかの寸法を示す。外側スカート半径２０４は、スカート１１０の最も広い部分である。いくつかの実施形態では、外側スカート半径２０４はまた、飲料容器１０の幅であり得る。スカート１１０は、内側スカート半径２０６を有する。内側スカート半径は、リブ１３０が始まる点における内側スカートの半径である。内側スカート半径は、外側スカート半径２０４未満である。いくつかの実施形態では、外側スカート半径は、２０〜４０ｍｍであり得る。いくつかの実施形態では、外側スカート半径２０４は、３２ｍｍ〜３７ｍｍであり得る。いくつかの実施形態では、内側スカート半径２０６は、２５ｍｍ〜３５ｍｍであり得る。例えば、内側スカート半径２０６は、３０ｍｍであり得る。
【００３５】
いくつかの実施形態では、リブ１３０は、リブ高さ２０８を有し得る。リブ高さ２０８は、リブ１３０の中心線１３４の最も低い点と、足部１５０の座部１５２間に延在する水平表面２０２との間の距離である。いくつかの実施形態では、リブ高さ２０８が測定されるリブ１３０上の位置は、移行点１３２に対応し得る。いくつかの実施形態では、リブ高さ２０８は、基部１００の他の寸法と比較して比較的小さくてもよい。例えば、リブ高さは７ｍｍ未満であり得る。いくつかの実施形態では、リブ高さ２０８は、３．５ｍｍであり得る。リブ高さ２０８を最小限にすることは、リブ１３０及び足部１５０が視覚的に目立つことを低減して、大きな又は顕著な足部を有する花弁状の基部であり得る、従来の炭酸ソフトドリンク用基部のように見えない飲料容器１０を与える。いくつかの実施形態では、リブ１３０は、リブ角度２１２を有する。リブ角度２１２は、リブ１３０がドーム１２０に向かって延在する角度である。リブ角度２１２は、ドーム角度２１４よりも浅くても大きくてもよい。例えば、リブ角度２１２は、４５°であり得る。リブ角度２１２はまた、３０°〜６０°であり得る。いくつかの実施形態では、リブ角度２１２は、水平表面２０２と、移行点１３６とドーム境界１２２との間の線との間の角度として画定される。
【００３６】
ドーム１２０は、ドーム高さ２１６を有し得る。ドーム高さ２１６は、外側スカート半径２０４に比例し得る。例えば、いくつかの実施形態では、ドーム高さ２１６は、外側スカート半径２０４よりも大きい。例えば、ドーム高さ２１６は、外側スカート半径２０４の０．２〜２倍であり得る。いくつかの実施形態では、ドーム高さ２１６は、外側スカート半径２０４の０．３〜１倍であり得る。例えば、ドーム高さ２１６は、外側スカート半径２０４の０．４倍であり得る。
【００３７】
追加的に、ドーム１２０は、ドーム半径２１８を有し得る。ドーム半径２１８は、ドーム境界１２２におけるドーム１２０の半径であり得る。いくつかの実施形態では、ドーム半径２１８は、外側スカート半径２０４に比例する。例えば、いくつかの実施形態では、ドーム半径２１８は、１／３〜１／７の外側スカート半径２０４であり得る。例えば、ドーム半径２１８は、１０ｍｍであり得る。また、いくつかの実施形態では、足部１５０は、足部１５０の内側の点に形成された接線と水平表面２０２との間の角度として記載される足部角度２２６を有し得る。足部１５０の内側は、座部１５２とドーム境界１２２との間の点であり得る。いくつかの実施形態では、足部角度は、リブ角度２１２よりも大きい。例えば、足部角度２２６は、３０°、３５°、４０°、４５°、５０°、５５°、又は６０°よりも大きくてもよい。
【００３８】
ドーム１２０は、ドーム角度２１４を有する。ドーム角度２１４は、水平線と、ドーム境界１２２に形成され、垂直軸２００を通って延在する接線との間の角度として画定され得る。いくつかの実施形態では、ドーム角度２１４は、１０°〜６０°であり得る。荷重をドーム１２０上により効果的に集中させるため、４５°を超えるドーム角度２１４が好ましい。いくつかの実施形態では、ドーム角度２１４は、３０°、３５°、４０°、４５°、５０°、５５°、又は６０°よりも大きい。飲料容器１０が飲料を包含するときに、ドーム１２０は荷重に供される。この荷重は、包含された飲料が、ソーダ又は炭酸水などの加圧飲料であるときに増加する。飲料容器内部の圧力は、２．７〜４．２気圧であり得る。ドーム１２０は、この圧力によって加えられる力を支持する。
【００３９】
図７は、図２に示される線７−７’で取られた基部１００の断面を示す。図７の断面は、足部１５０を通って２つの隣接するリブ１３０間に延在する。図７に示されるように、側壁角度２２０は、水平に対する変曲点１６６における側壁１５４の角度によって画定される。上述したように、変曲点１６６は、側壁１５４の上部分１５８と下部分１６０との間の点である。側壁角度２２０は、３０°〜６０°であり得、より具体的には、４０°〜５２°であり得る。追加的に、いくつかの実施形態では、座部−側壁移行部におけるフィレット半径２２２は、２ｍｍよりも大きくてもよい。いくつかの実施形態では、フィレット半径２２２は、１ｍｍ〜４ｍｍであり得る。フィレット半径２２２は、飲料容器１０が加圧ガスを包含し、ドーム１２０上の力が増加すると増加し得る。例えば、飲料容器１０が２．７〜４．３気圧に加圧されるときに、フィレット半径２２２は、１ｍｍ〜６ｍｍであり得る。
【００４０】
表面間の滑らかな移行部は、基部１００における応力集中を最小限にする。いくつかの実施形態では、基部１００の表面上の全ての点は、区別可能である。すなわち、表面間に鋭い移行部は存在しない。応力集中を最小限にすることにより、基部１００をより少ない材料で形成することができ、コスト及び重量が低減される。追加的に、基部１００において滑らかな移行部を使用することは、基部１００に均一な厚さ２２４を与え得る。更に、ドーム１２０上の圧力荷重が増加するにつれて、足部１５０もまた変形し得、水平表面と接触する座部１５２の量が低減される。滑らかな移行部を使用することにより、足部側壁１５４の部分が座部１５２の変形を吸収することを可能にする。
【００４１】
基部１００の滑らかな形状及び増加したドーム高さ２１６は、基部１００の構造に別の利益を与え得る。いくつかの実施形態では、基部１００は、二軸配向ポリエチレンテレフタレート（polyethylene terephthalate、ＰＥＴ）からブロー成形プロセスで形成され得る。基部１００の滑らかな形状及び増加したドーム高さ２１６は、基部内のＰＥＴの蓄積を防ぎ、ＰＥＴが基部１００の表面にわたって延伸されることを確実にする。ＰＥＴを延伸することは、ＰＥＴの構造を内部的に配向するのに十分に役立つ。具体的には、ＰＥＴの「配向」に寄与する。ＰＥＴ材料の適切な配向は、その全体的な強度を増大させ、より薄い部分がより大きな荷重を支承することを可能にする。
【００４２】
ＰＥＴの延伸は、基部１００の表面積の増加によって支援され得る。基部１００の表面積は、増加したドーム高さ２１６を使用することによって、かつ、基部１００上の異なる構造間の、鋭い移行部ではなく滑らかな移行部を使用することによって、増加される。いくつかの実施形態では、基部１００の表面積は、外側スカート半径２０４に等しい半径を有する円の面積の２倍であり得る。いくつかの実施形態では、基部１００の表面積は、外側スカート半径２０４に等しい半径を有する円の面積よりも１．５〜２．５倍大きくてもよい。
【００４３】
追加的に、ドーム１２０の高さの増加は、足部１５０への垂直力を増加させ得る。力の増加に応答して、足部１５０は、垂直軸２００から方向３００にわずかに移動することによって、増加した圧力に適合し得る。足部１５０のこの移動又は広がりは、それらを水平表面２０２と接触させた状態に保ち、接触面積を増加させる。増加した接触面積は、飲料容器１０が支持された状態に保つ。
【００４４】
発明の概要及び要約のセクションではなく、発明を実施するための形態のセクションは、特許請求の範囲を解釈するために使用されることが意図されることを理解されたい。発明の概要及び要約のセクションは、本開示の１つ以上であるが全てではない例示的な実施形態を示し得るが、本開示及び特許請求の範囲をいかようにも限定することを意図するものではない。
【００４５】
特定の実施形態の前述の説明は、当業者が知識を適用することにより、他の人もかかる特定の実施形態を種々の用途に容易に変更及び／又は適合させることができ、過度の実験をすることなく、本開示の一般的な概念から逸脱することなく、本開示の一般的な性質を完全に明らかにするであろう。したがって、そのような適合及び修正は、本明細書で提示した教示及び指導に基づいて、開示された実施形態の等価物の意味及び範囲内にあることが意図される。本明細書の表現法又は用語法は、説明を目的とするものであって、限定するものではないことを理解されたく、それ故、本明細書の用語法又は表現法は、教示及び指導の観点から当業者によって解釈されるべきである。
【００４６】
本開示の広がり及び範囲は、上記の例示的な実施形態のいずれによっても限定されるべきではないが、続く特許請求の範囲及びそれらの等価物に従ってのみ規定されるべきである。
【図１】
2021531217.tif 000003
【図２】
2021531217.tif 000004
【図３】
2021531217.tif 000005
【図４】
2021531217.tif 000006
【図５】
2021531217.tif 000007
【図６】
2021531217.tif 000008
【図７】
2021531217.tif 000009
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
飲料容器であって、
本体と、
基部と、を含み、前記基部は、
前記本体から延在するスカートと、
滑らかなドームと、
前記スカート及び前記ドームから延在するリブと、
足部であって、各足部は、一対の隣接するリブ間に形成され、前記スカートから前記ドームまで延在し、各足部は、座部及び２つの側壁を有する、足部と、を含み、
各リブは、前記スカートと前記ドームとの間の移行点を有し、
各移行点で形成された接線は、ゼロの勾配を有し、
各足部の座部−側壁移行部は、滑らかである、飲料容器。
【請求項２】
水平線と、前記ドームの滑らかな領域によって画定されたドーム境界に形成された接線との間のドーム角度が、３０度よりも大きい、請求項１に記載の飲料容器。
【請求項３】
各リブは、前記足部の前記座部によって画定された水平面から測定されたリブ高さを有し、前記ドームは、前記足部の前記座部によって画定された前記水平面から測定されたドーム高さを有し、前記ドーム高さは、前記リブ高さの４倍よりも大きい、請求項１に記載の飲料容器。
【請求項４】
前記基部は、水平外側スカート半径を有し、前記ドームは、ドーム高さを有し、前記ドーム高さは、前記水平外側スカート半径の０．３倍よりも大きい、請求項１に記載の飲料容器。
【請求項５】
前記足部の前記座部によって画定された水平面内の前記ドームの頂点の下の点から前記足部の前記座部の前記座部−側壁移行部まで延在する２つの線間の角度が、座部径方向幅を画定し、
各足部は、２０度未満の座部径方向幅を有する、を更に含む、請求項１に記載の飲料容器。
【請求項６】
各足部は、１７度未満の座部径方向幅を有する、請求項５に記載の飲料容器。
【請求項７】
足部の数は、８である、請求項１に記載の飲料容器。
【請求項８】
各足部の前記滑らかな座部−側壁移行部は、１ｍｍよりも大きいフィレット半径を有する、請求項１に記載の飲料容器。
【請求項９】
前記基部は、水平外側スカート半径を有し、各リブは、前記水平外側スカート半径１／９未満の、前記足部の前記座部によって画定された水平面から測定されたリブ高さを有する、請求項１に記載の飲料容器。
【請求項１０】
各リブは、１ｍｍ〜６ｍｍの、前記足部の前記座部によって画定された水平面から測定されたリブ高さを有する、請求項１に記載の飲料容器。
【請求項１１】
２つの隣接する座部間の任意の点で２つの隣接する座部を接続する平面内に形成された接線の前記勾配は、１．３未満の勾配を有する、請求項１に記載の飲料容器。
【請求項１２】
飲料容器用の基部であって、
垂直軸を有する滑らかなドームと、
前記ドームからスカートまで延在する滑らかなリブと、
足部であって、各足部は、一対の隣接するリブ間に形成され、前記スカートから前記ドームまで延在し、各足部は、座部及び２つの側壁を有する、足部と、を含み、
側壁−リブ移行部が滑らかであり、
座部−側壁移行部が滑らかであり、
前記足部及び前記リブのいずれも、滑らかな領域によって画定されたドーム境界を越えて延在しない、基部。
【請求項１３】
各側壁は、水平線と、側壁変曲点で形成された接線とによって画定された側壁角度を有し、前記側壁角度は、３０度〜６０度である、請求項１２に記載の基部。
【請求項１４】
前記側壁は、水平線と、側壁変曲点で形成された接線とによって画定された側壁角度を有し、前記側壁角度は、４０〜５２度である、請求項１２に記載の基部。
【請求項１５】
各リブは、前記スカートと前記ドームとの間の移行点を有し、
水平表面と、前記移行点と前記リブが前記ドーム境界に接する前記ドーム境界との間に延在する線との間の角度が、リブ角度を画定し、
前記リブの各々は、４０度〜５０度のリブ角度を有する、を更に含む、請求項１２に記載の基部。
【請求項１６】
水平面から測定されたドーム高さを更に含み、
前記ドームの前記滑らかな領域は、ドーム半径を画定し、
前記ドーム高さは、前記ドーム半径の０．３〜０．７倍である、請求項１２に記載の基部。
【請求項１７】
各リブは、１ｍｍ〜６ｍｍの水平面から測定されたリブ高さを有する、請求項１２に記載の基部。
【請求項１８】
前記足部の前記座部によって画定された水平面内の前記ドームの頂点の下の点から足部の前記座部の前記座部−側壁移行部まで延在する２つの線間の角度が、座部径方向幅を画定し、
各足部は、１２度未満の座部径方向幅を有する、を更に含む、請求項１２に記載の基部。
【請求項１９】
足部は、５ｍｍ未満の座部径方向幅を有する、請求項１２に記載の基部。
【請求項２０】
各足部は、前記足部の内部の点において足部角度を有し、前記足部角度は、前記点における接線と水平面との間に画定され、
前記足部角度は、５０度よりも大きい、請求項１２に記載の基部。
【請求項２１】
飲料容器であって、
本体と、
基部と、を含み、前記基部は、
前記本体から延在するスカートと、
垂直軸を中心とする滑らかなドームと、
前記スカート及び前記ドームから延在するリブと、
足部であって、各足部は、一対の隣接するリブ間に形成され、前記スカートから前記ドームまで延在し、各足部は、座部及び２つの側壁を有する、足部と、を含み、
各リブは、前記スカートと前記ドームとの間の移行点を有し、
各移行点で形成された接線は、ゼロの勾配を有し、
前記飲料容器が加圧されると、前記足部が前記垂直軸から離れて広がる、飲料容器。
【請求項２２】
前記ドームが、前記垂直軸と位置合わせされた頂点を有する、請求項２１に記載の飲料容器。
【国際調査報告】
2021531217.tif 000010
2021531217.tif 000011
2021531217.tif 000012